(57)【要約】【課題】収容される物品の容積が箱体の容積に比して少量であっても、効率よく物品にカバーを覆設することが可能な搬送用コンテナを提供することを課題とする。【解決手段】上面が開口した箱体１Ａと、この箱体１Ａの内部に収容される物品に覆設されるカバー１Ｂと、箱体１Ａの上面の開口に覆設される蓋体１Ｃと、を備える搬送用コンテナであって、蓋体１Ｃの下面に、複数の脚部１４，１４，…を突設しておき、蓋体１Ｃを箱体１Ａの上面に覆設したときに、複数の脚部１４，１４，…によってカバー１Ｂを物品に押し付ける。【選択図】      図１
2007030903.tif 000002
【特許請求の範囲】
【請求項１】
上面が開口した箱体と、
当該箱体の内部に収容される物品に覆設されるカバーと、
前記箱体の上面の開口に覆設される蓋体と、を備える搬送用コンテナであって、
前記蓋体の下面に、複数の脚部が突設されており、前記蓋体を前記箱体の上面に覆設したときに、前記複数の脚部によって前記カバーが前記物品に押し付けられることを特徴とする搬送用コンテナ。
【請求項２】
前記脚部が、伸縮可能に構成されていることを特徴とする請求項１に記載のコンテナ。
【請求項３】
上面が開口した箱体と、
当該箱体の内部に収容される物品に覆設されるカバーと、
前記カバーに接続された引出部材と、を備える搬送用コンテナであって、
前記引出部材は、前記箱体の内部に設けられた折返し部で折り返されて前記箱体の上部へ導出されており、
前記引出部材を引き締めることによって前記カバーが前記物品に押し付けられることを特徴とする搬送用コンテナ。
【請求項４】
上面が開口した箱体と、
当該箱体の内部に収容される物品に覆設されるカバーと、
前記カバーに接続された引出部材と、を備える搬送用コンテナであって、
前記引出部材は、前記箱体に形成された透孔を通って外部へ導出されており、
前記引出部材を前記箱体の外部へ引き出すことによって前記カバーが前記物品に押し付けられることを特徴とする搬送用コンテナ。
【請求項５】
上面が開口した箱体と、
当該箱体の内部に収容される物品に覆設されるカバーと、
前記カバーと前記箱体の底部との間に引張状態で介設される弾性部材と、を備える搬送用コンテナであって、
前記弾性部材の復元力によって前記カバーが前記物品に押し付けられることを特徴とする搬送用コンテナ。
【請求項６】
前記カバーが、網状体からなることを特徴とする請求項１乃至請求項５のいずれか一項に記載の搬送用コンテナ。
【発明の詳細な説明】
【技術分野】
【０００１】
本発明は、搬送用コンテナに関する。
【背景技術】
【０００２】
搬送用コンテナを使用して物品を運搬等する場合に、物品の容積が搬送用コンテナの収容量よりも少ない場合には、搬送用コンテナの内部で荷崩れを起こす場合がある。
【０００３】
このような問題に対処可能な搬送用コンテナとしては、例えば、上面が開口した箱体と、当該箱体の内部に収容される物品に覆設されるカバーとを備えるものが知られている（特許文献１参照）。この搬送用コンテナにおいては、箱体の側壁の適宜な位置にカバーが張設された枠体を掛止することでカバーを物品に押し付け、これにより物品の荷崩れを防いでいる。
【特許文献１】特開２００２−３０２１５１号公報
【発明の開示】
【発明が解決しようとする課題】
【０００４】
ところで、特許文献１の搬送用コンテナでは、箱体の容量に比して物品の容積が少量である場合など箱体の深い位置に枠体を掛止する必要がある場合には、身を乗り出しての作業となることから、作業効率が悪い。
【０００５】
そこで、本発明は、収容される物品の容積が箱体の容積に比して少量であっても、効率よく物品にカバーを覆設することが可能な搬送用コンテナを提供することを課題とする。
【課題を解決するための手段】
【０００６】
このような課題を解決する本発明に係る搬送用コンテナは、上面が開口した箱体と、当該箱体の内部に収容される物品に覆設されるカバーと、前記箱体の上面の開口に覆設される蓋体と、を備える搬送用コンテナであって、前記蓋体の下面に、複数の脚部が突設されており、前記蓋体を前記箱体の上面に覆設したときに、前記複数の脚部によって前記カバーが前記物品に押し付けられることを特徴とする。
【０００７】
このような搬送用コンテナによれば、箱体の上面に蓋体を覆設するだけで、カバーを物品に押し付けることができる。しかも、この搬送用コンテナでは、蓋体の下面に突設した脚部によって箱体の深い位置までカバーを下げることが可能となるので、収容される物品の容積が箱体の容積に比して少量であっても、簡単且つ確実にカバーを物品に覆設することができる。
【０００８】
なお、前記脚部が、伸縮可能に構成されていれば、収容される物品の容積に応じてカバーの高さ位置を容易に調節することが可能となる。
【０００９】
また、前記した課題を解決する本発明に係る搬送用コンテナは、上面が開口した箱体と、当該箱体の内部に収容される物品に覆設されるカバーと、前記カバーに接続された引出部材と、を備える搬送用コンテナであって、前記引出部材は、前記箱体の内部に設けられた折返し部で折り返されて前記箱体の上部へ導出されており、前記引出部材を引き締めることによって前記カバーが前記物品に押し付けられることを特徴とするものであってもよい。
【００１０】
このような搬送用コンテナによれば、引出部材を箱体の内部で折り返して上方に引き締めるだけで、カバーを物品に押し付けることができる。しかも、この搬送用コンテナでは、引締め量（引出量）を多くするだけでカバーを箱体の深い位置まで下げることが可能となるので、収容される物品の容積が箱体の容積に比して少量であっても、簡単且つ確実にカバーを物品に覆設することができる。
【００１１】
また、前記した課題を解決する本発明に係る搬送用コンテナは、上面が開口した箱体と、当該箱体の内部に収容される物品に覆設されるカバーと、前記カバーに接続された引出部材と、を備える搬送用コンテナであって、前記引出部材は、前記箱体に形成された透孔を通って外部へ導出されており、前記引出部材を前記箱体の外部へ引き出すことによって前記カバーが前記物品に押し付けられることを特徴とするものであってもよい。
【００１２】
このような搬送用コンテナによれば、引出部材を箱体の外部へ引き出すだけで、カバーを物品に押し付けることができる。しかも、この搬送用コンテナでは、引出部材の引出量を多くするだけで箱体の深い位置までカバーを引き下げることが可能となるので、収容される物品の容積が箱体の容積に比して少量であっても、簡単且つ確実にカバーを物品に覆設することができる。
【００１３】
また、前記した課題を解決する本発明に係る搬送用コンテナは、上面が開口した箱体と、当該箱体の内部に収容される物品に覆設されるカバーと、前記カバーと前記箱体の底部との間に引張状態で介設される弾性部材と、を備える搬送用コンテナであって、前記弾性部材の復元力によって前記カバーが前記物品に押し付けられることを特徴とするものであってもよい。
【００１４】
このような搬送用コンテナによれば、カバーと箱体の底部との間に弾性部材を引張状態で介設するだけで、カバーを物品に押し付けることができる。
【００１５】
なお、本発明に係る搬送用コンテナにおいては、前記カバーが、網状体からなることが望ましい。カバーが網状体であれば、柔軟に変形するので、物品の形状等が複雑な場合であっても、これを確実に押え込むことが可能となる。
【発明の効果】
【００１６】
本発明に係る搬送用コンテナによると、収容される物品の容積が箱体の容積に比して少量であっても、効率よく物品にカバーを覆設することが可能となる。
【発明を実施するための最良の形態】
【００１７】
以下、添付した図面を参照しつつ本発明を実施するための最良の形態を詳細に説明する。
【００１８】
（第一の実施形態）
第一の実施形態に係る搬送用コンテナ１は、図１に示すように、上面が開口した箱体１Ａと、この箱体１Ａの内部に収容される物品Ｂ（図２の（ａ）参照）に覆設されるカバー１Ｂと、箱体１Ａの上面の開口に覆設される蓋体１Ｃと、を備えて構成されている。
【００１９】
箱体１Ａは、パレット１１と、このパレット１１の周縁部に立設される四枚の側板１２，１２，…とを備えて構成されている。
【００２０】
パレット１１は、互いに平行に配置された複数のスペーサ１１ｅ，１１ｅ，…（図２の（ａ）参照）の上下に対向して配置された一対の板材１１ａ，１１ａと、この板材１１ａ，１１ａの四隅に配置された第一位置決め部材１１ｂ，１１ｂ，…と、板材１１ａ，１１ａの長辺側の中央部に配置された第二位置決め部材１１ｃ，１１ｃと、板材１１ａ，１１ａの短辺に沿って配置された第三位置決め部材１１ｄ，１１ｄとを備えて構成されている。なお、板材１１ａ，１１ａの間に形成された空間には、図示せぬ運搬車両に装備された昇降可能なフォークを挿入することができる。
【００２１】
側板１２は、溶接やリベット等によりパレット１１に接合してもよいし、接合せずにパレット１１から分離できるようにしてもよい。また、隣接する側板１２，１２同士も、互いに接合して一体にしてもよいし、接合せずに分解できるようにしてもよい。
【００２２】
カバー１Ｂは、本実施形態では、天然ゴムや合成ゴムなどの伸縮性のある素材で形成された網状体からなる。カバー１Ｂは、蓋体１Ｃの脚部１４の下端部に取り付けられる。カバー１Ｂの取付構造は、カバー１Ｂを物品Ｂに覆い被せた際に容易に脱落しない程度に保持される構造であれば、特に限定されるものではないが、本実施形態では、図２の（ａ）に示すように、脚部１４の下端部に螺合された押え部材１４ｃと脚部１４の下端面とでカバー１Ｂを挟持する構成を採用している。
【００２３】
なお、カバー１Ｂは、物品Ｂを弱く押え付けたい場合には、弛ませた状態で脚部１４に取り付けておけばよく（図２の（ａ）において実線で示したカバー１Ｂ）、物品Ｂを強く押え付けたい場合には、略水平に脚部１４に取り付けておけばよい（図２の（ａ）において点線で示したカバー１Ｂ）。
【００２４】
蓋体１Ｃは、図１に示すように、板状の蓋本体１３と、この蓋本体１３の下面に突設された複数の脚部１４，１４…とを備えて構成されている。
【００２５】
脚部１４は、蓋本体１３の角部に設けられていて、蓋体１Ｃを箱体１Ａに覆設したときに、箱体１Ａの内部に納まる。脚部１４は、蓋本体１３の下面に固定された断面中空の外管１４ａと、この外管１４ａの内部に挿入された内管１４ｂとを備えていて、内管１４ｂを進退させることで、脚部１４の長さが伸縮する。なお、内管１４ｂは、例えば、外管１４ａに設けた図示せぬ雌ネジ孔にビスを螺合し、ビスの先端を内管１４ｂの外面に押し当てることで外管１４ａに固定される。また、本実施形態では、内管１４ｂの下端部には、カバー１Ｂを固定する押え部材１４ｃ（図２の（ａ）参照）が装着される。
【００２６】
脚部１４の長さは、脚部１４の下端がカバー１Ｂで押えるべき物品Ｂの上面よりも下側に位置するように調節するとよい。なお、脚部１４の長さは、物品Ｂの容積等に応じて適宜変更すればよいが、例えば、物品Ｂを強く押え付けたい場合や物品Ｂの容積が箱体１Ａの容積に比して少なくカバー１Ｂを箱体１Ａの深いところに位置させたい場合には、脚部１４を伸長し、物品Ｂを弱く押え付けたい場合やカバー１Ｂを箱体１Ａの浅いところに位置させたい場合には、脚部１４を短縮すればよい。
【００２７】
以上のように構成された搬送用コンテナ１により内部に収容された物品Ｂの荷崩れを防ぐためには、図２の（ａ）および（ｂ）に示すように、箱体１Ａの上面に蓋体１Ｃを覆設するだけよい。
【００２８】
すなわち、蓋体１Ｃを箱体１Ａの上方から下降させると、カバー１Ｂが物品Ｂに覆いかぶさり、さらに、脚部１４によってカバー１Ｂの四隅が押し下げられるので、カバー１Ｂに接触している物品Ｂが適宜な押圧力で下側に押し付けられることになる（図２の（ｂ）参照）。
【００２９】
このように、搬送用コンテナ１によれば、箱体１Ａの上面に蓋体１Ｃを覆設するだけで、カバー１Ｂを物品Ｂに押し付けることができる。しかも、この搬送用コンテナ１では、蓋体１Ｃの下面に突設した脚部１４によって箱体１Ａの深い位置までカバー１Ｂを下げることが可能となるので、収容される物品Ｂの容積が箱体１Ａの内容積に比して少量であっても、簡単且つ確実にカバー１Ｂで物品Ｂを押えることが可能となる。
【００３０】
また、本実施形態においては、脚部１４が伸縮可能に構成されているので、収容される物品Ｂの容積に応じてカバー１Ｂの高さ位置を容易に調節することが可能となり、また、物品Ｂを押し付ける力を容易に増減させることが可能となる。
【００３１】
また、本実施形態においては、柔軟に変形する網状体でカバー１Ｂを構成したので、物品Ｂの形状等が複雑な場合であっても、これを確実に押え込むことが可能となる。
【００３２】
なお、物品Ｂごとに寸法・形状が大きく異なる場合など隣り合う物品Ｂ，Ｂの上面の位置に大きな高低差（凹凸）が存在する場合には、本実施形態の如く伸縮性のあるゴム等でカバー１Ｂを構成するのが望ましいが、物品Ｂ，Ｂ間の高低差がさほど大きくない場合などにおいては、天然繊維、合成繊維、金属製のワイヤー（素線やより線）などゴムに比して伸縮性に乏しい素材を編んでカバー１Ｂを構成してもよい。カバー１Ｂが網状を呈していれば、その素材に伸縮性がない場合であっても、比較的柔軟に変形するので、物品Ｂ，Ｂ間の高低差が大きくない場合であれば、問題なく使用することができる。
【００３３】
なお、本実施形態では、網状を呈するカバー１Ｂを例示したが、カバー１Ｂの形態を限定する趣旨ではなく、図示は省略するが、綿等の天然繊維や合成繊維からなる織布や不織布でカバーを構成してもよいし、ゴム製や合成樹脂製のシートでカバーを構成してもよい。
【００３４】
また、本実施形態においては、脚部１４を蓋本体１３の四隅に設ける構成を例示したが、脚部１４の配置を限定する趣旨ではなく、図示は省略するが、蓋本体１３の四隅の脚部１４，１４，…に加えて、あるいは、四隅の脚部１４，１４，…に代えて蓋本体１３の縁部に沿って脚部を設ける構成であってもよいし、蓋本体１３の中央部に脚部を設ける構成でもよい。
【００３５】
また、本実施形態においては、脚部１４が棒状である場合を例示したが、脚部１４の形態を限定する趣旨ではなく、図示は省略するが、板状を呈する脚部であってもよい。
【００３６】
また、本実施形態に係る脚部１４は、伸縮可能に構成されていたが、伸縮可能でないものであっても勿論よい。
【００３７】
（第二の実施形態）
第二の実施形態に係る搬送用コンテナ２は、第一の実施形態に係る搬送用コンテナ１（図１参照）とおおよそ同じ構成を備えているが、カバー２Ｂが蓋体２Ｃの脚部２４と別体である点と、箱体２Ａの底部（すなわち、パレット２１の上面）の四隅にガイド棒２５，２５，…が立設されている点が異なっている。
【００３８】
ここで、箱体２Ａ、カバー２Ｂおよび蓋体２Ｃの構成は、それぞれ図１に示す箱体１Ａ、カバー１Ｂおよび蓋体１Ｃと同様の構成であるのでその詳細な説明は省略する。
【００３９】
ガイド棒２５は、蓋体２Ｃの脚部２４と対応する位置に立設されており、箱体２Ａに蓋体２Ｃを覆設すると、脚部２４の内部に挿入される。
【００４０】
このように構成された搬送用コンテナ２により内部に収容された物品Ｂの荷崩れを防ぐためには、図４の（ａ）に示すように、カバー２Ｂの網目をガイド棒２５に環装しつつ、カバー２Ｂを物品Ｂに覆い被せ、その後、図４の（ｂ）に示すように、蓋体２Ｃの脚部２４の内部にガイド棒２５を挿入させつつ、箱体２Ａの上面に蓋体２Ｃを覆設すればよい。蓋体２Ｃを覆設すると、脚部２４によってカバー２Ｂの四隅が押し下げられるので、カバー２Ｂに接触している物品Ｂが適宜な押圧力で下側に押し付けられることになる。
【００４１】
このような構成の搬送用コンテナ２でも、箱体２Ａの上面に蓋体２Ｃを覆設するだけで、カバー２Ｂを物品に押し付けることができる。
【００４２】
なお、本実施形態においては、脚部２４に合わせてガイド棒２５を配置し、ガイド棒２５が脚部２４に入り込む構成を例示したが、脚部２４からずれた位置にガイド棒２５を配置してもガイド棒２５に沿って脚部２４によりカバー２Ｂを下方に押しつけることができれば差し支えない。
【００４３】
また、本実施形態においては、ガイド棒２５をパレット２１の四隅に設ける構成を例示したが、ガイド棒２５の配置を限定する趣旨ではなく、図示は省略するが、四隅のガイド棒２５，２５，…に加えて、あるいは、四隅のガイド棒２５，２５，…に代えてパレット２１の縁部に沿ってガイド棒を設ける構成であってもよいし、パレット２１の中央部にガイド棒を設ける構成でもよい。
【００４４】
（第三の実施形態）
第三の実施形態に係る搬送用コンテナ３は、図５に示すように、上面が開口した箱体３Ａと、この箱体３Ａの内部に収容される物品Ｂ（図６の（ｂ）参照）に覆設されるカバー３Ｂとを備えて構成されている。なお、本実施形態では、箱体３Ａの上面の開口に蓋体３Ｃが覆設される。
【００４５】
箱体３Ａは、パレット３１と、このパレット３１の周縁部に立設される四枚の側板３２，３２，…とを備えて構成されている。
【００４６】
パレット３１は、図１に示すパレット１１とおおよそ同じ構成を備えているが、パレット３１の上面の四隅に折返し部３１ｆ,３１ｆ，…を備えている点が異なる。
【００４７】
折返し部３１ｆは、後記するカバー３Ｂの引出部材３３を折り返すために設けられたものであり、本実施形態では、パレット３１の板材３１ａに立設された逆Ｕ字形状の部材からなる。なお、四つの折返し部３１ｆ，３１ｆ，…のうちの二つは、カバー３Ｂのフック３４を掛止するための掛止部材として使用される。
【００４８】
側板３２も、図１に示す側板１２とおおよそ同じ構成を備えているが、図６の（ａ）に示すように、その内面の上部に上下方向に並ぶ複数の掛止部３２ａ，３２ａ，…を備えている点が異なる。
【００４９】
掛止部３２ａは、後記する引出部材３３の掛止片３３ａを掛止するためのものであり、折返し部３１ｆの直上に位置している。
【００５０】
カバー３Ｂは、図１に示すカバー１Ｂと同様の構成を備えているが、図５に示すように、その一辺に一対の引出部材３３，３３が取り付けられており、これと反対側の辺に、一対のフック３４，３４が取り付けられている点が異なる。
【００５１】
引出部材３３は、折返し部３１ｆに挿通され、折返し部３１ｆで上方に向かって折り返される部材であり、ベルト状に成形された柔軟性のある素材からなる。引出部材３３の先端には、略Ｊ字形状を呈する掛止片３３ａが取り付けられている。
【００５２】
フック３４は、折返し部３１ｆに掛止される部材であり、本実施形態では、略Ｊ字形状を呈する部材からなる。
【００５３】
蓋体３Ｃは、図１に示す蓋体１Ｃとおおよそ同じ構成を備えているが、脚部１４（図１参照）を備えていない点で異なる。
【００５４】
このように構成された搬送用コンテナ３により内部に収容された物品Ｂの荷崩れを防ぐためには、図６の（ａ）に示すように、物品Ｂを収容する前にカバー３Ｂのフック３４をパレット３１の折返し部３１ｆに掛止しておき、物品Ｂを収容した後にカバー３Ｂを物品Ｂに覆い被せ、その後、引出部材３３（図６の（ａ）および（ｂ）においては点線で図示）を折返し部３１ｆに挿通して上方に折り返し、その先端部分を引き上げればよい。なお、物品Ｂを収容した後にフック３４を折返し部３１ｆに掛止しても差し支えない。引出部材３３を引き上げて引き締めると、カバー３Ｂの引出部材３３側が箱体３Ａの底部側に引き込まれるので、カバー３Ｂに接触している物品Ｂが適宜な押圧力で下側に押し付けられることになる。
【００５５】
なお、図６の（ｂ）に示すように、引き上げた引出部材３３を箱体３Ａの側板３２に設けた掛止部３２ａ,３２ａ，…のいずれかに掛止しておけば、カバー３Ｂの物品Ｂに対する押圧力を保持することができる。
【００５６】
このように、搬送用コンテナ３によれば、引出部材３３を箱体３Ａの内部で折り返して上方に引き締めるだけで、カバー３Ｂを物品Ｂに押し付けることができる。しかも、搬送用コンテナ３では、引出部材３３の引締め量（引出量）を多くするだけでカバー３Ｂを箱体３Ａの深い位置まで下げることが可能となるので、収容される物品Ｂの容積が箱体３Ａの容積に比して少量であっても、簡単且つ確実にカバー３Ｂを物品Ｂに覆設することが可能となる。
【００５７】
なお、本実施形態においては、逆Ｕ字状を呈する部材で折返し部３１ｆを構成した場合を例示したが、折返し部３１ｆの形態を限定する趣旨ではなく、図７に示すように、パレット３１に凹部３１ｇを設け、この凹部３１ｇの内部に棒材３１ｈを取り付けたものを折返し部３１ｆ’としてもよい。このような折返し部３１ｆ’であれば、パレット３１の上面が平坦になるので、図５に示すカバー３Ｂを使用しない場合（引出部材３３およびフック３４を使用しない場合）には、箱体３Ａの隅々まで物品Ｂを収容することが可能となる。
【００５８】
また、本実施形態においては、パレット３１の上面に折返し部３１ｆを設けた場合を例示したが、折返し部３１ｆの位置を限定する趣旨ではない。折返し部３１ｆは、箱体３Ａの内部にあればよく、例えば、図示は省略するが、側板３２に設けてもよい。なお、側板３２に折返し部３１ｆを設ける場合には、パレット３１に近い位置に設けるのが望ましい。
【００５９】
また、本実施形態においては、引出部材３３の反対側にフック３４を設けたが、フック３４の位置に引出部材３３を設けても差し支えない。また、カバー３Ｂの四辺総てに引出部材３３を設けてもよい。この場合には、箱体３Ａの内部に引出部材３３と同数の折返し部３１ｆを設けておけばよい。
【００６０】
（第四の実施形態）
第四の実施形態に係る搬送用コンテナ４は、図８の（ａ）に示すように、上面が開口した箱体４Ａと、この箱体４Ａの内部に収容される物品Ｂに覆設されるカバー４Ｂとを備えて構成されている。なお、本実施形態では、箱体４Ａの上面の開口に、図５に示す蓋体３Ｃと同一構成の蓋体４Ｃが覆設される。
【００６１】
箱体４Ａは、パレット４１と、このパレット４１の周縁部に立設される四枚の側板４２，４２，…とを備えて構成されている。なお、パレット４１については、図１に示す箱体１Ａのパレット１１と同様の構成であるのでその詳細な説明は省略する。
【００６２】
四枚の側板４２，４２，…のうち、対向する二枚の側板４２，４２には、その下部に後記する引出部材４３を挿通するための透孔４２ａが形成されている。なお、図示は省略するが、透孔４２ａは、引出部材４３の配置に合わせて形成されている。
【００６３】
カバー４Ｂは、図５に示すカバー３Ｂと同様の構成を備えているが、その一辺およびその反対側の辺の各々に引出部材４３が取り付けられている点が異なる。なお、図８の（ａ）および（ｂ）においては、図示の都合上、引出部材４３を点線で表している。
【００６４】
引出部材４３は、図５に示す引出部材３３と同様の構成であるが、透孔４２ａを通って外部へ導出される点が引出部材３３と異なる。
【００６５】
このように構成された搬送用コンテナ４により内部に収容された物品Ｂの荷崩れを防ぐためには、物品Ｂを収容した後にカバー４Ｂを物品Ｂに覆い被せ、その後、引出部材４３を透孔４２ａに挿通して外部へ導出し、引出部材４３を外部へ引き出せばよい。引出部材４３を外部へ引き出すと、カバー４Ｂが箱体４Ａの底部側に引き込まれるので、カバー４Ｂに接触している物品Ｂが適宜な押圧力で下側に押し付けられることになる。
【００６６】
なお、図８の（ｂ）に示すように、外部へ引き出した引出部材４３の先端にある掛止片４３ａを、箱体４Ａの側板４２の外面に形成された掛止部４２ｂに掛止しておけば、カバー４Ｂの物品Ｂに対する押圧力を保持することができる。
【００６７】
このような搬送用コンテナ４によれば、引出部材４３を箱体４Ａの外部へ引き出すだけで、カバー４Ｂを物品Ｂに押し付けることができる。しかも、搬送用コンテナ４では、引出部材４３の引出量を多くするだけで箱体４Ａの深い位置までカバー４Ｂを引き下げることが可能となるので、収容される物品Ｂの容積が箱体４Ａの容積に比して少量であっても、簡単且つ確実にカバー４Ｂを物品Ｂに覆設することができる。また、側板４２に設けた透孔４２ａから引出部材４３を導出する構成であることから、蓋体４Ｃを箱体４Ａに覆設した後であっても、カバー４Ｂを引き下げることができる。したがって、例えば、輸送中にカバー４Ｂに緩みが生じたとしても、蓋体４Ｃを開けずに「増し締め」することが可能となる。
【００６８】
（第五の実施形態）
第五の実施形態に係る搬送用コンテナ５は、図９の（ａ）に示すように、上面が開口した箱体５Ａと、この箱体５Ａの内部に収容される物品Ｂに覆設されるカバー５Ｂと、このカバー５Ｂと箱体５Ａの底部との間に引張状態で介設される弾性部材５Ｄと、を備えて構成されている。なお、本実施形態では、箱体５Ａの上面の開口に蓋体５Ｃが覆設される。
【００６９】
ここで、箱体５Ａおよび蓋体５Ｃの構成は、図５に示す箱体３Ａおよび蓋体３Ｃと同様であるので、その詳細な説明は省略する。
【００７０】
カバー５Ｂは、図１に示すカバー１Ｂと同様の構成を備えているが、その一辺側にフック５４が取り付けられている点が異なる。
【００７１】
弾性部材５Ｄは、天然ゴムや合成ゴムなどの伸縮性のある素材をベルト状に成形してなるものであり、その下端が箱体５Ａの底部（本実施形態では、折返し部５１ｆ）に取り付けられており、その上端にはカバー５Ｂに掛止される掛止片５５が取り付けられている。なお、図示は省略するが、例えばコイルばねを弾性部材５Ｄとして用いても差し支えない。
【００７２】
このように構成された搬送用コンテナ５により内部に収容された物品Ｂの荷崩れを防ぐためには、物品Ｂを収容する前にカバー５Ｂのフック５４をパレット５１の折返し部５１ｆに掛止しておき、物品Ｂを収容した後にカバー５Ｂを物品Ｂに覆い被せ、その後、図９の（ｂ）に示すように、弾性部材５Ｄを伸長させつつ掛止片５５をカバー５Ｂに掛止すればよい。弾性部材５Ｄを伸長させた状態（すなわち、引張状態）で箱体５Ａの底部とカバー５Ｂとの間に介設すると、弾性部材５Ｄの復元力によって、カバー５Ｂが箱体５Ａの底部側に引き込まれるので、カバー５Ｂに接触している物品Ｂが適宜な押圧力で下側に押し付けられることになる。
【００７３】
このように、搬送用コンテナ５によれば、箱体５Ａの底部とカバー５Ｂとの間に弾性部材５Ｄを引張状態で介設するだけで、カバーを物品に押し付けることができる。
【００７４】
なお、本実施形態においては、カバー５Ｂの一辺側にのみ弾性部材５Ｄを配置したが、これに限定されることはなく、図示は省略するが、他辺側に弾性部材を配置してもよい。
【図面の簡単な説明】
【００７５】
【図１】本発明の第一の実施形態に係る搬送用コンテナを示す分解斜視図である。
【図２】（ａ）は本発明の第一の実施形態に係る搬送用コンテナにおいて蓋体を覆設する前の状態を示す断面図、（ｂ）は蓋体を覆設した後の状態を示す断面図である。
【図３】本発明の第二の実施形態に係る搬送用コンテナを示す分解斜視図である。
【図４】（ａ）は本発明の第二の実施形態に係る搬送用コンテナにおいて蓋体を覆設する前の状態を示す断面図、（ｂ）は蓋体を覆設した後の状態を示す断面図である。
【図５】本発明の第三の実施形態に係る搬送用コンテナを示す分解斜視図である。
【図６】（ａ）は本発明の第三の実施形態に係る搬送用コンテナにおいて引出部材を引き締める前の状態を示す断面図、（ｂ）は引出部材を引き締めた後の状態を示す断面図である。
【図７】折返し部の変形例を示す部分拡大斜視図である。
【図８】第四の実施形態に係る搬送用コンテナにおいて引出部材を引き出している状態を示す断面図、（ｂ）は引出部材を引き出した後の状態を示す断面図である。
【図９】（ａ）は第五の実施形態に係る搬送用コンテナを示す断面図、（ｂ）は弾性部材を引張状態で配置した状態を示す断面図である。
【符号の説明】
【００７６】
１〜５      搬送用コンテナ
１Ａ〜５Ａ  箱体
１Ｂ〜５Ｂ  カバー
１Ｃ〜５Ｃ  蓋体
５Ｄ        弾性部材
１４        脚部
３３，４３  引出部材
３１ｆ      折返し部
４２ａ      透孔
【図１】
2007030903.tif 000003
【図２】
2007030903.tif 000004
【図３】
2007030903.tif 000005
【図４】
2007030903.tif 000006
【図５】
2007030903.tif 000007
【図６】
2007030903.tif 000008
【図７】
2007030903.tif 000009
【図８】
2007030903.tif 000010
【図９】
2007030903.tif 000011